(57)【要約】【課題】スイッチの使い勝手を低下させることなくスイッチの誤操作を防止する。【解決手段】保護カバー１０は、プレート枠１の前面側を覆う矩形枠状のボディ２０と、ボディ２０の上側枠片から前方へ突設された一対の軸支部２２に軸支されるカバー体３０とで構成される。カバー体３０の前面下部には開口部３５が設けられ、カバー体３０が閉位置にあるときに切換スイッチ６０Ｂの操作ハンドル６１を開口部３５により露出している。したがって、カバー体３０が閉位置にあるときでも開口部３５を通して切換スイッチ６０Ｂの操作ハンドル６１が操作可能であるから、切換スイッチ６０Ｂの使い勝手を低下させることなく入／切スイッチ６０Ａの誤操作が防止できる。【選択図】        図１
2005158307.tif 000002
【特許請求の範囲】
【請求項１】
施工面に埋込配設される埋込型の配線器具であるスイッチと組み合わせて用いられるスイッチプレートにおいて、１つのスイッチの前面に並設された複数の操作ハンドル若しくは複数のスイッチの前面にそれぞれ設けられて互いに隣接する複数の操作ハンドルの周囲を囲む枠状に形成されて施工面に固定されるプレート枠と、プレート枠の前面に取り付けられ、操作ハンドルを操作できないように覆い隠す閉位置と操作ハンドルを操作可能なように露出する開位置との間でプレート枠に対して回動自在に形成された保護カバーとを備え、保護カバーが閉位置にあるときに少なくとも１つの操作ハンドルを操作可能なように露出する開口部が保護カバーに設けられたことを特徴とするスイッチプレート。
【請求項２】
保護カバーの前面における開口部の周囲に開口部を通して露出する操作ハンドルに近付く向きに傾斜する傾斜面が形成されたことを特徴とする請求項１記載のスイッチプレート。
【請求項３】
保護カバーの背面における開口部の周囲にプレート枠に近付く向きへ突出するリブが設けられたことを特徴とする請求項２記載のスイッチプレート。
【請求項４】
開口部は操作ハンドルの一部を露出する寸法に形成されたことを特徴とする請求項１記載のスイッチプレート。
【請求項５】
開口部を開閉自在に閉塞する扉が保護カバーに設けられたことを特徴とする請求項１記載のスイッチプレート。
【請求項６】
施工面に埋込配設される埋込型の配線器具であるスイッチと組み合わせて用いられるスイッチプレートにおいて、１つのスイッチの前面に並設された複数の操作ハンドル若しくは複数のスイッチの前面にそれぞれ設けられて互いに隣接する複数の操作ハンドルの周囲を囲む枠状に形成されて施工面に固定されるプレート枠と、プレート枠の前面に取り付けられ、複数の操作ハンドルのうちの少なくとも１つの操作ハンドルを操作可能なように露出し且つその他の操作ハンドルを操作できないように覆い隠す閉位置と全ての操作ハンドルを操作可能なように露出する開位置との間でプレート枠に対して回動自在に形成された保護カバーとを備えたことを特徴とするスイッチプレート。
【請求項７】
保護カバーは、少なくとも操作ハンドルを覆い隠す部位が光を透過する材料で形成され、当該部位で操作ハンドルが覆い隠されたスイッチの機能を示す文字又は記号が前方から視認可能な位置に設けられたことを特徴とする請求項１又は６記載のスイッチプレート。
【発明の詳細な説明】
【技術分野】
【０００１】
本発明は、施工面に埋込配設される埋込型の配線器具であるスイッチと組み合わせて用いられるスイッチプレート、特にスイッチの操作ハンドルが不用意に操作されることを防止するための保護カバーを備えたスイッチプレートに関するものである。
【背景技術】
【０００２】
一般に、壁面等の施工面に開口する埋込孔に後端部を埋め込んだ形で埋込配設される埋込型の配線器具を施工する際には、配線器具を見栄え良く施工するため、施工面に露出した埋込孔を覆い隠すフラッシプレートが用いられる（ＪＩＳ  Ｃ８３１６参照）。特に、前面に操作ハンドルを有するスイッチと組み合わせて用いるフラッシプレートはスイッチプレートと呼ばれる。なお、埋込型の配線器具のうちでＪＩＳ  Ｃ８３７５に規定される取付枠に最大３個まで取り付け、取り外しができるものは大角連用形と呼ばれる。
【０００３】
ところで、スイッチプレートと組み合わせて用いられるスイッチのなかには、不用意に操作されることが望ましくないスイッチもある。例えば、新築の住宅等においては、改正された建築基準法に基づいて床面積の広い居間などを２４時間連続して換気する必要があるため、換気扇を入／切する入／切スイッチが不用意に操作されることは望ましくない。そこで、従来は入／切スイッチを開閉自在に覆う保護カバーを設けて換気扇が不用意に切られないようにしていた（特許文献１参照）。
【特許文献１】特開平７−３２０５８１号公報
【発明の開示】
【発明が解決しようとする課題】
【０００４】
ところが、不用意に操作されることが望ましくないスイッチと、このようなスイッチに比べて操作頻度の高いスイッチとが取付枠に取り付けられて並設された場合、例えば、換気扇を入／切する入／切スイッチと、換気扇の風量を切り換える切換スイッチとが取付枠に取り付けて埋込配設された場合、切換スイッチを操作する際に保護カバーを開く必要があるため、スイッチの使い勝手が低下するとともに、誤って入／切スイッチを操作してしまう虞がある。
【０００５】
本発明は上記事情に鑑みて為されたものであり、その目的は、スイッチの使い勝手を低下させることなくスイッチの誤操作が防止できるスイッチプレートを提供することにある。
【課題を解決するための手段】
【０００６】
請求項１の発明は、上記目的を達成するために、施工面に埋込配設される埋込型の配線器具であるスイッチと組み合わせて用いられるスイッチプレートにおいて、１つのスイッチの前面に並設された複数の操作ハンドル若しくは複数のスイッチの前面にそれぞれ設けられて互いに隣接する複数の操作ハンドルの周囲を囲む枠状に形成されて施工面に固定されるプレート枠と、プレート枠の前面に取り付けられ、操作ハンドルを操作できないように覆い隠す閉位置と操作ハンドルを操作可能なように露出する開位置との間でプレート枠に対して回動自在に形成された保護カバーとを備え、保護カバーが閉位置にあるときに少なくとも１つの操作ハンドルを操作可能なように露出する開口部が保護カバーに設けられたことを特徴とする。
【０００７】
この発明によれば、不用意に操作されることが望ましくないスイッチと、不用意に操作されても特に支障のないスイッチとが施工面に隣接して埋込配設されている場合、保護カバーが閉位置にあるときに前者のスイッチの操作ハンドルを操作できないように覆い隠すとともに、後者のスイッチの操作ハンドルを操作可能なように開口部から露出させれば、保護カバーを閉じたままでも開口部を通して後者のスイッチの操作ハンドルが操作可能となり、スイッチ（後者のスイッチ）の使い勝手を低下させることなくスイッチ（前者のスイッチ）の誤操作が防止できる。
【０００８】
請求項２の発明は、請求項１の発明において、保護カバーの前面における開口部の周囲に開口部を通して露出する操作ハンドルに近付く向きに傾斜する傾斜面が形成されたことを特徴とする。
【０００９】
この発明によれば、保護カバーの前面における開口部の開口面積を拡大することができるから、操作ハンドルが操作しやすくなる。
【００１０】
請求項３の発明は、請求項２の発明において、保護カバーの背面における開口部の周囲にプレート枠に近付く向きへ突出するリブが設けられたことを特徴とする。
【００１１】
この発明によれば、保護カバー前面における開口部の周囲に荷重が加わった場合でも、保護カバーの背面に設けられたリブがプレート枠の前面などに当たることで保護カバーの変形が防止できる。
【００１２】
請求項４の発明は、請求項１の発明において、開口部は操作ハンドルの一部を露出する寸法に形成されたことを特徴とする。
【００１３】
この発明によれば、開口部の寸法をできるだけ小さくすることで保護カバーのデザイン性および強度の向上が図れる。
【００１４】
請求項５の発明は、請求項１の発明において、開口部を開閉自在に閉塞する扉が保護カバーに設けられたことを特徴とする。
【００１５】
この発明によれば、開口部から露出する操作ハンドルの誤操作が防止できる。
【００１６】
請求項６の発明は、上記目的を達成するために、施工面に埋込配設される埋込型の配線器具であるスイッチと組み合わせて用いられるスイッチプレートにおいて、１つのスイッチの前面に並設された複数の操作ハンドル若しくは複数のスイッチの前面にそれぞれ設けられて互いに隣接する複数の操作ハンドルの周囲を囲む枠状に形成されて施工面に固定されるプレート枠と、プレート枠の前面に取り付けられ、複数の操作ハンドルのうちの少なくとも１つの操作ハンドルを操作可能なように露出し且つその他の操作ハンドルを操作できないように覆い隠す閉位置と全ての操作ハンドルを操作可能なように露出する開位置との間でプレート枠に対して回動自在に形成された保護カバーとを備えたことを特徴とする。
【００１７】
この発明によれば、不用意に操作されることが望ましくないスイッチと、不用意に操作されても特に支障のないスイッチとが施工面に隣接して埋込配設されている場合、保護カバーが閉位置にあるときに前者のスイッチの操作ハンドルを操作できないように覆い隠すとともに、後者のスイッチの操作ハンドルを操作可能なように露出させれば、保護カバーを閉じたままでも後者のスイッチの操作ハンドルが操作可能となり、スイッチ（後者のスイッチ）の使い勝手を低下させることなくスイッチ（前者のスイッチ）の誤操作が防止できる。
【００１８】
請求項７の発明は、請求項１又は６の発明において、保護カバーは、少なくとも操作ハンドルを覆い隠す部位が光を透過する材料で形成され、当該部位で操作ハンドルが覆い隠されたスイッチの機能を示す文字又は記号が前方から視認可能な位置に設けられたことを特徴とする。
【００１９】
この発明によれば、前者のスイッチによって動作が入／切される負荷の状態を示す表示手段が当該スイッチに設けられている場合、保護カバーを通して上記表示手段による表示が視認可能となるから、上記表示手段による表示を確認するために保護カバーを開く必要がなくなって使い勝手が向上する。また、スイッチの機能を示す文字又は記号が保護カバーに設けられているため、保護カバーで覆い隠されているスイッチの機能が容易に判断できる。
【発明の効果】
【００２０】
本発明によれば、不用意に操作されることが望ましくないスイッチと、不用意に操作されても特に支障のないスイッチとが施工面に隣接して埋込配設されている場合、保護カバーが閉位置にあるときに前者のスイッチの操作ハンドルを操作できないように覆い隠すとともに、後者のスイッチの操作ハンドルを操作可能なように開口部から露出させれば、保護カバーを閉じたままでも開口部を通して後者のスイッチの操作ハンドルが操作可能となり、スイッチ（後者のスイッチ）の使い勝手を低下させることなくスイッチ（前者のスイッチ）の誤操作が防止できるという効果がある。
【発明を実施するための最良の形態】
【００２１】
（実施形態１）
本実施形態のスイッチプレートは、図１に示すようにＪＩＳ  Ｃ８３７５に規定される取付枠（図示せず）に取り付けられるプレート枠１と、プレート枠１の前面に取り付けられる保護カバー１０とを備える。なお、以下では、図１における矢印イの方向を上下方向、矢印ロの方向を左右方向、矢印ハの方向を前後方向として説明する。
【００２２】
プレート枠１はＡＢＳ樹脂のような熱可塑性樹脂により矩形枠状に形成されており、取付枠に取り付けた状態で、周部が施工面（壁面）に当接して施工面に設けた埋込孔の周部を覆うことができる寸法に設定されるとともに、中央部に開口する中央窓２がスイッチ６０の操作ハンドル６１の左右寸法程度に設定されている（図５（ｂ）参照）。プレート枠１の図１における上下両片には、プレート枠１を取付枠に取り付けるためのプレートねじ３が挿通されるねじ挿通孔４が設けられる。なお、上下両片には長手方向に沿って切り溝５が形成されており、その厚み方向（つまり、前後方向）に撓み自在となっている。したがって、ねじ挿通孔４に挿通したプレートねじ３を取付枠のプレートねじ孔に螺合させて取付枠に取り付けたときに、上下両片が撓むことによってプレート枠１の外周部を施工面に押し付ける方向に弾性力が作用し、プレート枠１の外周部を施工面に隙間なく当接させることができる。なお、プレート枠１の左右両片には、後述するように保護カバー１０を構成するボディ２０の後面に突設された結合爪２４が挿入される３つの結合孔６が上下方向に等間隔で形成されている。
【００２３】
保護カバー１０は、ＡＢＳ樹脂のような熱可塑性樹脂により形成され、プレート枠１の前面側を覆うとともにスイッチ６０の操作ハンドル６１を露出させるための窓孔２１を有した矩形枠状のボディ２０と、ボディ２０の上側枠片から前方へ突設された一対の軸支部２２に軸支されるカバー体３０とで構成される。ボディ２０の軸支部２２は、図３に示すように軸方向をボディ２０の左右方向に一致させた半円柱状に形成され、それぞれの外向きの端面にはカバー体３０の軸突起３２が挿入される軸受け孔２２ａが設けられている（図１参照）。また、ボディ２０の左右両側の枠片の後面には、図３（ｂ）に示すように先端に爪部２３ａが形成された３つの結合爪２３が上下方向に等間隔で突設されており、この爪部２３ａがプレート枠１の後面において結合孔６の周部に係止されることによって、プレート枠１にボディ２０が取り付けられる（図２（ｃ）参照）。
【００２４】
カバー体３０は、図１および図４に示すように光を透過する性質を持った合成樹脂（例えば、ポリカーボネイト樹脂など）により矩形且つ扁平に形成され、上側の一端部にはボディ２０の軸支部２２が挿入される一対の溝部３１が設けられるとともに、この一端部における各溝部３１に臨む端面には軸支部２２の軸受け孔２２ａに挿入される軸突起３２がそれぞれ突設されている。すなわち、これらの軸突起３２を軸支部２２の軸受け孔２２ａに挿入することによって、カバー体３０が軸突起３２を支点として回動自在にボディ２０に取り付けられる（図２参照）。また、カバー体３０の下側における後面には、図４（ｂ）に示すように先端に係止爪３３ａを有する一対のロック片３３が後方に向けて突設されており、カバー体３０をボディ２０に対して閉じたときに、ボディ２０の下側枠片に設けられた一対の係止孔２４にロック片３３がそれぞれ挿入され、係止爪３３ａがボディ２０の後面において係止孔２４の周部に係止されることによってカバー体３０がボディ２０に対して閉じた位置（閉位置）でロックされる（図２参照）。なお、ボディ２０およびカバー体３０の下側の側面にはそれぞれ凹所２５，３４が設けられており（図２（ｅ）、図３および図４（ｂ）参照）、この凹所２５，３４に指を入れてカバー体３０を手前（前方）に引くことで係止爪３３ａと係止孔２４の周部との係止を解除し、カバー体３０を上向きに回動させて取付枠に取り付けられた複数のスイッチ６０の操作ハンドル６１が前方へ露出される位置（開位置）まで開くことができる（図６参照）。
【００２５】
ところで本実施形態のスイッチプレートと組み合わせて用いるスイッチ６０は、図６に示すように２４時間連続換気に対応する換気扇を入／切する入／切スイッチ６０Ａ、並びに換気扇の風量を強・弱の２段階に切り換える切換スイッチ６０Ｂであって、各スイッチ６０Ａ、６０Ｂの操作ハンドル６１，６１の上下方向の寸法がプレート枠１の中央窓２の上下方向の寸法の略２分の１に設定されている（なお、このような寸法を有する操作ハンドル６１を「２個用操作ハンドル」と呼ぶ）。これらのスイッチ６０Ａ，６０Ｂはワイドハンドル形スイッチ（ＪＩＳ  Ｃ８３０４参照）の一種でスイッチ本体の前面に操作ハンドル６１の一端部が回動自在に枢支された構造を有するものであって、一般にピアノハンドル式スイッチと呼ばれている。すなわち、操作ハンドル６１は図６における左側の端部を支点として前後方向に回動自在且つ前方へ弾性付勢されており、後方へ押し操作される毎にスイッチ本体に内蔵された接点が開閉若しくは切り換えられる。また、入／切スイッチ６０Ａにはパイロットランプ付きのものが用いられており、操作ハンドル６１に設けられた透光窓６２を通して視認されるパイロットランプの点灯・消灯により負荷（換気扇）の動作状態（入又は切）を表示している。一方、切換スイッチ６０Ｂの操作ハンドル６１には、接点の切り換え状態、この場合には換気扇の風量（強又は弱）を示す表示機構６３が設けられている。なお、このようなピアノハンドル式スイッチは従来周知であるから詳細な構造および動作についての図示並びに説明は省略する。
【００２６】
ここで、入／切スイッチ６０Ａについては不用意に操作されることが望ましくないが、切換スイッチ６０Ｂについては不用意に操作されても入／切スイッチ６０Ａに比べて支障がない代わりに操作の頻度が高いと考えられる。したがって、従来技術でも説明したように、入／切スイッチ６０Ａに関しては保護カバー１０（カバー体３０）で常に覆い隠して誤操作を防止する必要があるが、切換スイッチ６０Ｂに関しては誤操作防止よりも操作のしやすさが優先される。
【００２７】
そこで本実施形態では、図４および図５に示すように上下左右の寸法が操作ハンドル６１（２個用操作ハンドル）の上下左右の寸法と同じ若しくは若干大きく設定された開口部３５をカバー体３０の前面下部に設け、カバー体３０が閉位置にあるときにプレート枠１の中央窓２における下側に配置されている切換スイッチ６０Ｂの操作ハンドル６１を開口部３５により露出している。したがって、保護カバー１０が閉じられているとき（カバー体３０が閉位置にあるとき）でも、カバー体３０に設けた開口部３５を通して切換スイッチ６０Ｂの操作ハンドル６１が操作可能であるから、切換スイッチ６０Ｂの使い勝手を低下させることなく入／切スイッチ６０Ａの誤操作が防止できる。
【００２８】
また、図４に示すようにカバー体３０の背面における開口部３５の周囲全体にプレート枠１に近付く向きへ突出するリブ３６が設けられるとともに、このリブ３６の左右両側および下側の部位には操作ハンドル６１に近付く向きに傾斜する傾斜面３６ａが形成されている。すなわち、カバー体３０の前面における開口部３５の周囲に荷重が加わった場合でも、カバー体３０の背面に設けられたリブ３６の先端がボディ２０の前面に当たるため、カバー体３０の変形が防止できる。しかも、リブ３６に傾斜面３６ａを形成しているため、図５（ｂ）に示すようにカバー体３０の前面における開口部３５の開口面積を拡大することができて操作ハンドル６１が操作しやすくなるという利点がある。なお、傾斜面３６ａの傾斜角度をさらに小さくし、図５（ｃ）に示すように開口部３５の左右方向の幅寸法がカバー体３０前面の幅寸法にほぼ一致するまで開口部３５の開口面積を拡大すれば、操作ハンドル６１の操作性がより一層向上する。
【００２９】
なお、開口部３５の寸法は必ずしも操作ハンドル６１よりも大きくする必要はなく、少なくとも開口部３５を通して操作ハンドル６１が押し操作可能であれば、図７（ａ）に示すように操作ハンドル６１の一部のみを露出する程度の大きさでも構わない。また、開口部３５の形状も矩形に限定されるものではなく、図７（ｂ）に示すような三角形、図７（ｃ）に示すような円形、若しくは図７（ｄ）に示すような長円形などの種々の形状が採用可能である。而して、開口部３５を設けることでカバー体３０の強度が若干低下するが、開口部３５の寸法をできるだけ小さくすることでカバー体３０のデザイン性および強度の向上が図れるという利点がある。
【００３０】
また本実施形態では、カバー体３０が光の透過性を有する合成樹脂で形成されているため、カバー体３０が閉位置にあるときでも覆い隠されているスイッチ（入／切スイッチ６０Ａ）の存在やパイロットランプの点灯・消灯が視認可能であって使い勝手がよいものである。ここで、カバー体３０は必ずしも透明である必要はなく、例えば、パイロットランプの点灯・消灯が視認できる程度の透明度（いわゆる半透明）に形成してもよく、カバー体３０を半透明に形成することでデザイン性の向上が図れる。またカバー体３０を半透明にする場合、図８に示すようにカバー体３０の表面に入／切スイッチ６０Ａの機能を表す文字（「ＯＮ」の２文字など）３７ａや記号（矢印など）３７ｂを印刷等によって設ければ、カバー体３０で覆い隠されているスイッチ（入／切スイッチ６０Ａ）の機能（換気扇の入／切）が容易に判断できるという利点がある。
【００３１】
ところで、取付枠は上段、中段、下段の３つの取り付け位置を有し、最大３個のスイッチを取り付けることができるから、例えば、図９に示すように換気扇を入／切する入／切スイッチ６０Ａと換気扇の風量を切り換える切換スイッチ６０Ｂとともに照明を点滅（照明器具への電源供給の入／切）する点滅スイッチ６０Ｃが同じ取付枠に３個並べて取り付けられる場合がある。なお、各スイッチ６０Ａ〜６０Ｃの操作ハンドル６１’の上下方向の寸法はプレート枠１の中央窓２の上下方向の寸法の略３分の１に設定されている（このような寸法を有する操作ハンドル６１’を「３個用操作ハンドル」と呼ぶ）。このような状況において、点滅スイッチ６０Ｃが切換スイッチ６０Ｂと同様に不用意に操作されても入／切スイッチ６０Ａに比べて支障がない代わりに操作の頻度が高い場合には、開口部３５の上下方向の寸法を３個用操作ハンドルの２個分の寸法にほぼ等しい寸法に設定し、図９（ａ）に示すように取付枠の中段および下段にそれぞれ取り付けられた切換スイッチ６０Ｂおよび点滅スイッチ６０Ｃの２つの操作ハンドル６１’を開口部３５から露出させるようにすればよい。あるいは、点滅スイッチ６０Ｃが入／切スイッチ６０Ａと同様に不用意に操作されることが望ましくない場合には、開口部３５の上下方向の寸法を３個用操作ハンドルの１個分の寸法にほぼ等しい寸法に設定し、図９（ｂ）に示すように取付枠の下段に取り付けられた切換スイッチ６０Ｂの操作ハンドル６１’のみを開口部３５から露出させるようにすればよい。このように開口部３５の寸法を調整することで様々なスイッチ６０の組み合わせに対応することができる。なお、スイッチは上述のように操作ハンドル６１，６１’を一つだけ有するものもあれば、複数の操作ハンドル６１，６１’を有するものもあり、本実施形態のスイッチプレートは何れのスイッチとも組み合わせ可能である。
【００３２】
（実施形態２）
本実施形態は、図１０に示すようにカバー体３０の開口部３５を開閉自在に閉塞する扉４０を設けた点に特徴があり、これ以外の構成は実施形態１と共通である。よって、実施形態１と共通の構成要素には同一の符号を付して説明を省略する。
【００３３】
扉４０は、矩形平板状に形成された一対の扉体４１，４２を組み合わせて構成されており、扉体４１，４２の左右両側の端面上部に突設された突片（図示せず）を、カバー体３０の開口部３５における左右両側の側面に上下方向に沿って形成された一対のレール溝（図示せず）にそれぞれ係合させることでカバー体３０に対して上下方向に移動自在に取り付けられる。ここで、一対のレール溝は前後方向に並べて形成されており、突片をレール溝に係合させたときに一方の扉４１が他方の扉体４２の後方に配置される。また、後方の扉体４１の上端部には前方へ突出する操作片４１ａが設けてある。
【００３４】
而して、操作片４１ａを持って後方の扉体４１を下方へ移動させると、図１０（ｂ）および（ｃ）に示すように前方の扉体４２の上端面に操作片４１ａが当接し、両扉体４１，４２を一緒に移動させて扉４０を開くことができる。また、扉体４１の下端部並びに扉体４２の上端部にはそれぞれ係脱自在に係合する係合片（図示せず）が設けられており、操作片４１ａを持って後方の扉体４１を上方へ移動させると、扉体４１の下端部に設けられた係合片が扉体４２の上端部に設けられた係合片と係合し、両扉体４１，４２を一緒に移動させて扉４０を閉じることができる。故に、切換スイッチ６０Ｂの操作時以外は扉体４１，４２を上方へ移動させて開口部３５を扉４０で閉塞すれば、切換スイッチ６０Ｂの操作ハンドル６１’が誤操作されるのを防止でき、しかも、切換スイッチ６０Ｂを操作するためにカバー体３０を回動する際に必要となるスペースに比較して、開口部３５を閉塞する扉４０の開閉に必要なスペースが非常に小さくて済むという利点がある。
【００３５】
（実施形態３）
本実施形態は、図１１に示すようにカバー体３０の上下方向の寸法Ｈをボディ２０の上下方向の寸法の約半分とし、カバー体３０が閉位置にあるときに上段のスイッチ（入／切スイッチ６０Ａ）の操作ハンドル６１のみが覆い隠されて下段のスイッチ（切換スイッチ６０Ｂ）の操作ハンドル６１が露出されたままとなるようにした点に特徴がある。
【００３６】
カバー体３０は、上述のように上下方向の寸法Ｈがボディ２０の上下方向の寸法の約半分に形成されている。また、カバー体３０の下側における後面には先端に係止爪を有する一対のロック片（図示せず）が後方に向けて突設されており、カバー体３０をボディ２０に対して閉じたときに、ボディ２０の左右両枠片に設けられた係止孔（図示せず）にロック片がそれぞれ挿入され、係止爪がボディ２０の後面において係止孔の周部に係止されることによってカバー体３０が閉位置でロックされる。なお、図１１（ｃ）に示すようにカバー体３０の下側端面における一端側には指を引っかけるための凹部３８が設けられている。
【００３７】
而して、本実施形態でも実施形態１と同様に、保護カバー１０が閉じられているとき（カバー体３０が閉位置にあるとき）でも切換スイッチ６０Ｂの操作ハンドル６１が操作可能であるから、切換スイッチ６０Ｂの使い勝手を低下させることなく入／切スイッチ６０Ａの誤操作が防止できる。また、カバー体３０の上下方向の寸法Ｈを実施形態１よりも短くしたことにより、カバー体３０が開いた状態で放置されたときにカバー体３０に不用意に力が加えられた場合でもカバー体３０が破損し難くなるという利点がある。
【００３８】
なお、実施形態１で説明したように３個用操作ハンドル６１’を有する入／切スイッチ６０Ａ、切換スイッチ６０Ｂ並びに点滅スイッチ６０Ｃが同じ取付枠に取り付けられる状況に対応するため、カバー体３０の上下方向の寸法Ｈを、図１２（ａ）に示すようにボディ２０の上下方向の寸法の約３分の１としたり、あるいは図１２（ｂ）に示すようにボディ２０の上下方向の寸法の約３分の２とすることで、様々なスイッチ６０の組み合わせに対応することができる。
【図面の簡単な説明】
【００３９】
【図１】実施形態１の分解斜視図である。
【図２】同上を示し、（ａ）は正面図、（ｂ）は右側面図、（ｃ）は背面図、（ｄ）は上面図、（ｅ）は下面図である。
【図３】同上における保護カバーのボディを示し、（ａ）は正面図、（ｂ）は断面図である。
【図４】同上における保護カバーのカバー体を示し、（ａ）は正面図、（ｂ）は右断面図、（ｃ）は同図（ａ）のＡ−Ａ線断面矢視図である。
【図５】同上を示し、（ａ）は正面図、（ｂ）は同図（ａ）のＡ−Ａ線断面矢視図、（ｃ）は傾斜面の傾斜角度を変えた場合の断面図である。
【図６】同上のカバー体が開位置にあるときの一部省略した正面図である。
【図７】（ａ）〜（ｄ）は他の構成のカバー体を有する場合の正面図である。
【図８】同上における他の構成のカバー体を有する場合の正面図である。
【図９】（ａ）および（ｂ）は他の構成のカバー体を有する場合の正面図である。
【図１０】実施形態２を示し、（ａ）は扉を閉じた状態の正面図、（ｂ）は扉を開いた状態の正面図、（ｃ）は扉を開いた状態の断面図である。
【図１１】実施形態３を示し、（ａ）はカバー体が閉位置にあるときの正面図、（ｂ）はカバー体が開位置にあるときの右側面図、（ｃ）は同図（ａ）のＡ−Ａ線断面矢視図である。
【図１２】（ａ）および（ｂ）は他の構成のカバー体を有する場合の正面図である。
【符号の説明】
【００４０】
１  プレート枠
１０  保護カバー
２０  ボディ
２１  窓孔
２２  軸支部
３０  カバー体
３１  溝部
３２  軸突起
３５  開口部
【図１】
2005158307.tif 000003
【図２】
2005158307.tif 000004
【図３】
2005158307.tif 000005
【図４】
2005158307.tif 000006
【図５】
2005158307.tif 000007
【図６】
2005158307.tif 000008
【図７】
2005158307.tif 000009
【図８】
2005158307.tif 000010
【図９】
2005158307.tif 000011
【図１０】
2005158307.tif 000012
【図１１】
2005158307.tif 000013
【図１２】
2005158307.tif 000014